(57)【要約】本発明は、アップリンク性能向上のためのＡＭＣ（適応変調コーディング）方法、装置及びその方法を記録した記録媒体に関するものである。本発明の望ましい実施例による方法は以下を備える。（ａ）１つは、複数個の信号対雑音比（ＳＮＲ）に対応する変調方式及びコーディング方式を含む適応変調方式と適応変調方式に対応するマッピング識別子に対するテーブル情報を保存する端末とはネットワークを通じて繋がれていてテーブルと同じテーブルを保存する基地局から、信号を受信するステップである。（ｂ）１つは、信号に対するＳＮＲを検出するステップである。（ｃ）１つは、ＳＮＲに対応する変調方式及びコーディング方式を含む適応変調方式と適応変調方式に対応するマッピング識別子とをマッピングテーブルを参照して抽出するステップである。（ｄ）１つは、基地局で、マッピングテーブルを参照して端末から受信するデータを復調及びデコーディングするように、マッピング識別子を基地局に送信するステップである。それにより、アップリンク容量及び性能を改善することができる。
2007503160.tif 000002
【特許請求の範囲】
【請求項１】
ネットワークによって基地局と接続された端末でのアップリンク性能向上のためのＡＭＣ（適応変調コーディング）方法であって、
（ａ）複数の信号対雑音比（ＳＮＲ）に対応する変調方式及びコーディング方式を有する適応変調方式と、該適応変調方式に対応するマッピング識別子についての情報とを備えるマッピングテーブルであって、かつ端末に保存されているマッピングテーブルと同じマッピングテーブルを保存する基地局から信号を受信し、
（ｂ）前記信号に対するＳＮＲを測定し、
（ｃ）前記ＳＮＲに対応する変調方式及びコーディング方式を有する適応変調方式と、該適応変調方式に対応するマッピング識別子とをマッピングテーブルを参照することにより抽出し、
（ｄ）基地局に送信するデータを適応変調方式に応じて変調及びコーディングし、
（ｅ）基地局が、マッピングテーブルを参照することにより、端末から受信するデータを復調及びデコーディングできるように、マッピング識別子を有する変調及びコーディングされたデータを基地局に送信する
ことを特徴とする方法。
【請求項２】
ネットワークはＲＦＩＤ（無線周波数識別）ネットワークであることを特徴とする請求項１に記載の方法。
【請求項３】
第１ステップ（ａ）に先立ち、基地局からマッピングテーブルを受信し、受信されたマッピングテーブルを保存することを特徴とする請求項１に記載の方法。
【請求項４】
ネットワークによって端末と接続された基地局でのアップリンク性能向上のための適応変調コーディング方法であって、
（ａ）複数のＳＮＲ（信号対雑音比）に対応する変調方式及びコーディング方式を有する適応変調方式と、該適応変調方式に対応するマッピング識別子についての情報とを備えるマッピングテーブルであって、かつ基地局に保存されているマッピングテーブルと同じマッピングテーブルを保存する端末に信号を送信し、
（ｂ）前記信号に対するＳＮＲを測定し、かつ前記ＳＮＲに対応する変調方式及びコーディング方式を有する適応変調方式と、該適応変調方式に対応するマッピング識別子とをマッピングテーブルを参照することにより抽出する端末から、マッピング識別子を受信し、
（ｃ）マッピング識別子及びマッピングテーブルを利用して適応変調方式を抽出し、
（ｄ）端末から受信するデータを適応変調方式に応じて復調及びデコーディングする
ことを特徴とする方法。
【請求項５】
マッピング識別子は別途に又は前記データとともに受信されることを特徴とする請求項４に記載の方法。
【請求項６】
ネットワークはＲＦＩＤ（無線周波数識別）ネットワークであることを特徴とする請求項４に記載の方法。
【請求項７】
第１ステップ（ａ）に先立ち、基地局に保存されているマッピングテーブルを抽出し、端末でマッピングテーブルを保存するように、抽出したマッピングテーブルを端末に送信することを特徴とする請求項４に記載の方法。
【請求項８】
端末でのアップリンク性能向上のための適応変調コーディング装置であって、
ネットワークによって端末と接続された基地局から信号を受信するための受信部と、
信号に対するＳＮＲを検出するためのＳＮＲ測定部と、
複数のＳＮＲに対応する変調方式及びコーディング方式を有する適応変調方式を備えるマッピングテーブルと、適応変調方式に対応するマッピング識別子との情報を保存するためのテーブル保存部と、
ＳＮＲに対応する変調方式及びコーディング方式を有する適応変調方式と、適応変調方式に対応するマッピング識別子とを前記マッピングテーブルを参照することにより抽出するための識別子抽出部と、
適応変調方式に応じて基地局に送信するデータを変調するための変調部と、コーディングするためのエンコーダー部と、
前記マッピングテーブルと同じマッピングテーブルを保存する基地局が、前記マッピングテーブルを参照することにより、端末から受信するデータを復調及びデコーディングできるように、マッピング識別子を基地局に送信するための送信部と
を備えることを特徴とする装置。
【請求項９】
変調及びコーディングされたデータにマッピング識別子を添付するための識別子追加部とを更に備えることを特徴とする請求項８に記載の装置。
【請求項１０】
ネットワークはＲＦＩＤ（無線周波数識別）ネットワークであることを特徴とする請求項８に記載の装置。
【請求項１１】
テーブル保存部に保存される前記マッピングテーブルの情報は基地局から受信されることを特徴とする請求項８に記載の装置。
【請求項１２】
基地局でのアップリンク性能向上のための適応変調コーディング装置であって、
ネットワークによって基地局と接続された端末に信号を送信するための送信部と、
信号に対するＳＮＲを測定し、かつＳＮＲに対応する変調方式及びコーディング方式を有する適応変調方式と、適応変調方式に対応するマッピング識別子とをマッピングテーブルを参照することにより抽出する端末から、マッピング識別子を受信するための受信部と、
端末に保存されているマッピングテーブルと同じマッピングテーブルであって、複数のＳＮＲに対応する変調方式及びコーディング方式を有する適応変調方式と、適応変調方式に対応するマッピング識別子とを備えるマッピングテーブルの情報を保存するためのテーブル保存部と、
マッピング識別子及びマッピングテーブルを利用して適応変調方式を抽出するための識別子抽出部と、
端末から受信するデータを適応変調方式に応じて復調及びデコーディングするための適応変調デコーディング部と
を備えることを特徴とする装置。
【請求項１３】
受信部はマッピング識別子を別途に又はデータとともに受信することを特徴とする請求項１２に記載の装置。
【請求項１４】
ネットワークはＲＦＩＤ（無線周波数識別）ネットワークであることを特徴とする請求項１２に記載の装置。
【請求項１５】
ネットワークによって基地局と接続された端末でアップリンク速度を向上するための適応変調コーディング方法を実行するためのプログラムが記録された記録媒体であって、
（ａ）複数の信号対雑音比（ＳＮＲ）に対応する変調方式及びコーディング方式を有する適応変調方式と、該適応変調方式に対応するマッピング識別子についての情報とを備えるマッピングテーブルであって、かつ端末に保存されているマッピングテーブルと同じマッピングテーブルを保存する基地局から信号を受信し、
（ｂ）前記信号に対するＳＮＲを測定し、
（ｃ）前記ＳＮＲに対応する変調方式及びコーディング方式を有する適応変調方式と、該適応変調方式に対応するマッピング識別子とをマッピングテーブルを参照することにより抽出し、
（ｄ）適応変調方式に応じて基地局に送信するデータを変調及びコーディングし、
（ｅ）基地局が、マッピングテーブルを参照することにより、端末から受信するデータを復調及びデコーディングできるように、マッピング識別子を有する基地局変調及びコーディングされたデータを送信する
ためのプログラムが記録された記録媒体。
【請求項１６】
第１ステップ（ａ）に先立ち、基地局からマッピングテーブルを受信し、受信されたマッピングテーブルを保存するためのプログラムが記録されたことを特徴とする請求項１５に記載の記録媒体。
【発明の詳細な説明】
【技術分野】
【０００１】
本発明は、アップリンク性能向上のためのＡＭＣ（適応変調コーディング）方法、装置及びその方法を記録した記録媒体に関するものであって、より詳しく説明すると、無線チャンネル環境にしたがってアップリンク部分でデジタル変調及びコーディング方式を可変的に適用することにより、外部干渉の影響にかかわらず安定的にシステム容量及び性能を改善することができるアップリンク性能向上のためのＡＭＣ方法、装置及びその方法を記録した記録媒体に関するものである。
【背景技術】
【０００２】
先ず、従来技術によるＡＭＣ（適応変調コーディング）方式は、基地局側がすべての端末からチャンネル状態のフィードバックを受けた後、各チャンネル状態に対して互いに違う変調コーディング方式を用いてデータを送信することにより、システム資源をより效果的に用いて順方向リンクの送信速度を向上することができる。従来技術によるＡＭＣ方式は、ダウンリンク中心の順方向リンクの容量増大及び性能改善には效果的である。しかし、従来技術によるＡＭＣ方式は、アップリンクの性能改善には全く助けとはならず、却って各端末は基地局側に余分なチャンネル状態情報をフィードバックしなければならないので、アップリンクの観点ではデータ送信に使われる帯域を占有することによるオーバーヘッドを伴って動作するという問題点がある。特に、ＲＦＩＤ（無線周波数識別）のように、端末から基地局へのデータ送信が多い無線環境では、このような従来技術によるＡＭＣ方式は、かなり深刻な通信資源の浪費につながり得る。すなわち、従来技術による場合、ＲＦＩＤデータを送信するための無線ネットワークではダウンリンクよりアップリンクを主とする少量のパケットデータを処理するので、ＡＭＣ方法がシステム容量及び性能向上には效果的ではないという問題点がある。
【特許文献１】欧州特許出願公開第１３５７６８１号明細書
【発明の開示】
【発明が解決しようとする課題】
【０００３】
本発明の目的は、従来技術に関する問題点を解決するため、無線チャンネル環境に対して、アップリンク部分で可変的デジタル変調及びコーディング方式を適用することにより、外部干渉の影響にかかわらず安定的にシステム容量及び性能を改善することができるアップリンク性能向上のためのＡＭＣ方法、装置及びその方法を記録した記録媒体を提供することにある。
【０００４】
本発明の他の目的は、ダウンリンク中心の順方向リンクの容量増大及び性能改善だけではなく、アップリンク性能改善及び送信速度増加をもたらせるＡＭＣ方法、装置及びその方法を記録した記録媒体を提供することにある。すなわち、本発明は、各端末が周期的に基地局側に余分なチャンネル状態情報をフィードバックしなければならないため、アップリンクの観点ではオーバーヘッドを伴って動作するという問題点を解決することができる。
【０００５】
本発明の他の目的は、ＲＦＩＤデータ送信のようにアップリンクが頻繁な無線環境から要求されるビット誤率（ＢＥＲ）を維持しながらアップリンクのデータ送信率を進めることができる方法、装置及びその方法を記録した記録媒体を提供することにある。
【課題を解決するための手段】
【０００６】
本発明の前述の及び／又は他の態様は、ネットワークによって基地局と接続された端末でのアップリンク性能向上のためのＡＭＣ（適応変調コーディング）方法及び、その方法を実行するためのプログラムが保存された記録媒体であって、（ａ）端末に保存されているマッピングテーブルと同じマッピングテーブルを保存する基地局から信号を受信し、マッピングテーブルは、複数の信号対雑音比（ＳＮＲ）に対応する変調方式及びコーディング方式を有する適応変調方式と適応変調方式に対応するマッピング識別子についての情報とを備え、（ｂ）信号に対するＳＮＲを検出し、（ｃ）前記ＳＮＲに対応する変調方式及びコーディング方式を有する適応変調方式と適応変調方式に対応するマッピング識別子とをマッピングテーブルを参照することにより抽出し、（ｄ）基地局で、マッピングテーブルを参照して端末から受信するデータを復調及びデコーディングできるように、マッピング識別子を基地局に送信することを特徴とする方法及び、その方法を実行するためのプログラムが保存された記録媒体を提供することでも達成される。
【０００７】
本発明の実施形態によれば、上記方法は、適応変調方式に対応して基地局に送信するデータを変調及びエンコーディングし、変調及びエンコーディングされたデータにマッピング識別子を添付することを特徴とする。本発明の実施形態によれば、また、ネットワークはＲＦＩＤ（無線周波数識別）ネットワークである。本発明の実施形態によれば、また、上記方法は、第１ステップに先立ち、基地局からマッピングテーブルを受信し、受信されたマッピングテーブルを保存することを特徴とする。
【０００８】
本発明の前述の及び／又は他の態様は、ネットワークによって端末と接続された基地局でのアップリンク性能向上のための適応変調コーディング方法であって、（ａ）基地局に保存されているマッピングテーブルと同じマッピングテーブルを保存する端末に信号を送信し、マッピングテーブルは、複数のＳＮＲ（信号対雑音比）に対応する変調方式及びコーディング方式を有する適応変調方式と上記適応変調方式に対応するマッピング識別子に対する情報を備え、（ｂ）信号に対するＳＮＲを検出し、そしてＳＮＲに対応する変調方式及びコーディング方式を有する適応変調方式と適応変調方式に対応するマッピング識別子とを、マッピングテーブルを参照することにより抽出する端末において、該端末からマッピング識別子を受信し、（ｃ）マッピング識別子及びマッピングテーブルを利用して適応変調方式を抽出し、（ｄ）端末から受信するデータを適応変調方式に応じて復調及びデコーディングすることを特徴とする方法を提供することでも達成される。
【０００９】
本発明の実施形態によれば、マッピング識別子は別個に又は前記データとともに受信される。本発明の実施形態によれば、また、ネットワークはＲＦＩＤ（無線周波数識別）ネットワークである。本発明の実施形態によれば、また、検索情報は、第１ステップ（ａ）に先立ち、基地局に保存されているマッピングテーブルを抽出し、端末でマッピングテーブルを保存するように、抽出したマッピングテーブルを端末に送信することを特徴とする。
【００１０】
本発明の前述の及び／又は他の態様は、端末でのアップリンク性能向上のための適応変調コーディング装置であって、ネットワークによって端末と接続された基地局から信号を受信するための受信部と、信号に対するＳＮＲを検出するためのＳＮＲ測定部と、複数のＳＮＲに対応する変調方式及びコーディング方式を有する適応変調方式を備えるマッピングテーブルの情報と、適応変調方式に対応するマッピング識別子の情報とを保存するためのテーブル保存部と、ＳＮＲに対応する変調方式及びコーディング方式を有する適応変調方式と、適応変調方式に対応するマッピング識別子とを前記マッピングテーブルを参照することにより抽出するための識別子抽出部と、前記マッピングテーブルと同じマッピングテーブルを保存する基地局が、前記マッピングテーブルを参照することにより、端末から受信するデータを復調及びデコーディングするように、マッピング識別子を基地局に送信するための送信部とを備えることを特徴とする装置を提供することでも達成される。
【００１１】
本発明の実施形態によれば、上記装置は、適応変調方式に応じて基地局に送信するデータを変調するための変調部及びエンコーディングするためのエンコーディング部と、変調及びコーディングされたデータにマッピング識別子を添付するための識別子追加部とを更に備えることを特徴とする。本発明の実施形態によれば、また、ネットワークはＲＦＩＤ（無線周波数識別）ネットワークである。本発明の実施形態によれば、また、テーブル保存部に保存されるマッピングテーブルの情報は基地局から受信される。
【００１２】
本発明の前述の及び／又は他の態様は、基地局でのアップリンク性能向上のための適応変調コーディング装置であって、ネットワークによって基地局と接続された端末に信号を送信するための送信部と、信号に対するＳＮＲを検出し、そしてＳＮＲに対応する変調方式及びコーディング方式を有する適応変調方式と適応変調方式に対応するマッピング識別子とを、マッピングテーブルを参照することにより抽出する端末において、該端末からマッピング識別子を受信するための受信部と、端末に保存されているマッピングテーブルと同一のマッピングテーブルであって、複数のＳＮＲに対応する変調方式及びコーディング方式を有する適応変調方式と適応変調方式に対応するマッピング識別子の情報とを備えるマッピングテーブルの情報を保存するためのテーブル保存部と、マッピング識別子及びマッピングテーブルを利用して適応変調方式を抽出するための識別子抽出部と、端末から受信するデータを適応変調方式に応じて復調及びデコーディングするための適応変調デコーディング部とを備えることを特徴とする装置を提供することでも達成される。
【００１３】
本発明の実施形態によれば、上記装置は、受信部はマッピング識別子を別途に又は前記データとともに受信することを特徴とする。本発明の実施形態によれば、また、ネットワークはＲＦＩＤ（無線周波数識別）ネットワークである。
【発明を実施するための最良の形態】
【００１４】
以下に、本発明の望ましい実施例が、添付された図面を参考にして述べられる。
（全体的な構成及び動作環境）
本発明は、従来技術が有する、各端末が周期的に基地局側に付加的なチャンネル状態情報をフィードバックするオーバーヘッドという問題点をとり除いて、アップリンク性能改善及び送信速度の増加をもたらすことができる。以下、図２では、本発明の望ましい実施例によるアップリンク性能向上のためのＡＭＣ（適応変調コーディング）システムネットワークを説明し、図３では、本発明の望ましい実施例による基地局２００及び端末１００間の信号の流れを説明する。
図２は、本発明の望ましい実施例によるアップリンク性能向上のためのＡＭＣシステムネットワークを示す図面である。
第４世代移動通信の大衆化と共にデータ通信が活性化してきた。上記移動通信システムで多様なチャンネル条件を補うため送信端の送信変数を修正する技法をリンク適応技法と言うが、その中の一つの方法としてＡＭＣ（適応変調コーディング）があり、上記ＡＭＣは、制限されたシステム環境で多様なチャンネル条件によって変調とコーディング技法を調整することである。
【００１５】
上記チャンネル条件は、受信端のフィードバックによって予測され、良い通信環境にいる使用者には、ハイコードレートとハイオーダーモジュレーションを適用して高いデータレートができるようにし、劣悪な通信環境にいる使用者には、ローコードレートとローオーダーモジュレーションを適用して品質を保障することにより、システムの送信効率を増加させることができる。本発明によるシステムは、ＡＭＣが可能な端末１００と適応復号が可能な基地局２００からなる。
【００１６】
以下、本発明の望ましい実施例によるアップリンク性能向上のためのＡＭＣシステムネットワークを示す図２を参照すれば、端末１００及び基地局２００を含むＡＭＣシステムネットワークが示されている。ここで、ＴＤＤ（二重時分割）に基づくＲＦＩＤデータ無線伝達ネットワーク環境を基準にして説明することとするが、本発明が、上記分野に限定されないことは当然のことである。
【００１７】
端末１００は、基地局２００とのデータ通信が可能である端末１００を指称し、携帯電話、ＰＤＡ、ＰＣＳなどの名称に拘束されない。望ましい実施例によれば、上記端末１００がＲＦＩＤ判読機である場合が説明されており、図２を参照すれば、上記端末１００が広域に散発的に分布されている。
そして、基地局２００（ＢＴＳ、トランシーバ基地局）は、無線接続システムを通じて移動端末１００とのコードレス通信が可能になり、送信経路に繋がれているＢＳＣ（基地局２００制御機）と信号を送信および受信する。上記基地局２００は、基地局２００としてサービスすることができない場所や、基地局２００置局が不可能な地域を光（ファイバ）ケーブルや、ＣＡＩ（共通無線インタフェース）などを通じて基地局２００のカバーできる領域を拡張後増幅して加入者にサービスするための中継機を含むことができる。
無線環境では通信中移動性と多重経路がほとんど存在せず、ダウンリンクよりはアップリンクを主として少量のパケットデータの送受信を処理する特徴を有する。
【００１８】
図３は、本発明の望ましい実施例による基地局２００及び端末１００間の信号の流れを示す。
従来技術によるＡＭＣ方式は、基地局２００が複数個の端末１００からチャンネル状態情報をフィードバック受けて、上記チャンネル状態情報によって変調方式及びコーディング方式を決めて順方向リンクを決める。しかし、上記方式は、順方向リンクのダウンロード中心の通信環境のみを考慮したことで、逆方向リンクのアップロードには效果的ではないのみならず、周期的に上記チャンネル状態情報を送信することはオーバーヘッドとして作用する。
【００１９】
本発明は、各端末１００からチャンネル状態情報を送信するのではなく、あらかじめ設定された変調及びコーディング情報テーブルによってデータを変調し、上記変調されたデータとともに変調及びコーディング識別子を送信して、基地局２００で上記変調及びコーディング識別子を利用してデータを復調するように構成される。したがって、本発明は、別途のフィードバックチャンネルを確保して周期的にチャンネル状態情報を送信する処理を減らすことができる。
以下、本発明の望ましい実施例による順方向及び逆方向リンク制御を示す図３を参照して説明する。ここで、基地局２００から端末１００にデータを送信する時使うチャンネルを順方向リンクまたはダウンロードリンクと称して、端末１００から基地局２００にデータを送信する時使うチャンネルを逆方向リンクまたはアップリンクと称する。
ここで、アップリンクで送信される情報は、端末１００におけるテーブルに基づき生成されたマッピング識別子を有する。本発明は、既存に開発された乃至今後開発されるすべてのデータ送信方式においてアップリンク速度を向上することができ、特に、ＴＤＤに基づくＲＦＩＤデータ伝達無線ネットワークのような無線環境でシステムから要求されるビット誤率（ＢＥＲ）を維持しながらアップリンクデータ送信速度を向上することができる。
【００２０】
（全体的な動作原理）
本発明は、上述のＲＦＩＤデータ伝達のため無線ネットワークの特徴を利用してシステム資源の效率的な利用のために創出されたもので、通信時多重経路及び移動性がほとんどない端末１００で簡単なＡＭＣアルゴリズムを使ってアップリンクの容量及び性能を改善させることができる。
図４は、本発明の望ましい実施例によるアップリンク性能向上のためのＡＭＣ方法の動作手続きを示すフローチャートである。
既存の基地局２００でＡＭＣを行う方法は、すべての端末１００がチャンネル状態をフィードバックデータとして送らなければならないため、アップリンクに対して顕著なオーバーヘッドとなるが、本発明は、追加的なチャンネル情報が必要なく、受信信号の信号対雑音比（ＳＮＲ）のみを利用してテーブルに基づきＡＭＣを実行することによって、上記オーバーヘッドを除去または減少させることができる。
【００２１】
本発明の望ましい実施例による全体動作過程を説明した図４を参照すると、ステップＳ４１０で、基地局２００はあらかじめ設定されたＳＮＲに対してコーディング方式及び変調方式のマッピングされているテーブルを抽出し、ステップＳ４１５で、上記テーブル情報を端末１００に送信する。ステップＳ４２０で、端末１００は受信したテーブル情報を保存し、次いで、ＡＭＣ方式を実行する際には、上記テーブル情報に含まれているマッピング識別子を利用して変調方式及びコーディング方式を識別する。
その後、ステップＳ４２５で、端末１００から基地局２００に呼を試みた場合、ステップＳ４３０で、呼が連結されて端末１００のデータ送受信が始まる。ステップＳ４３５で、端末１００は受信信号のＳＮＲ値を測定する。
【００２２】
ステップＳ４４０で、端末１００は、測定されたＳＮＲ値と保存されているテーブル値とを比較し、送信データの変調方式及びコーディング率を決める。ここで、本発明の望ましい実施例による信号対雑音比（ＳＮＲ）を利用するＡＭＣマッピングテーブルを、図５を参照して説明する。本発明のシステムは、既存の基地局２００でＡＭＣ方式を使うシステムと違って多重経路による信号ロスがほとんどなく、単純に端末１００と基地局２００との間の距離による信号ロスを考慮して端末１００がＡＭＣ方式を適用するので、ＡＭＣのためのパラメータとして端末１００に受信される信号のＳＮＲを利用する。受信ＳＮＲの高い端末１００は、チャンネル状況が良いから、６４０ＱＡＭのような高い変調と高いコーディング率でデータを送信してもシステムに要求されるＢＥＲを容易に満足するが、ＳＮＲが低い端末１００の場合には、システムに要求されるＢＥＲに適合するためにＱＰＳＫのような低い変調方式及びコーディング率を用いてデータを送信するように図５のテーブルが設定されている。
【００２３】
ステップＳ４４５で、端末１００は、上記変調方式及びコーディング率に従ってデータを変調し、ステップＳ４５０で、テーブルのマッピング識別子を添付して、ステップＳ４５５で、アップリンクを通じて変調されたデータと添付されたマッピング識別子とをともに基地局２００に送信する。
ステップＳ４６０で、基地局２００は、端末１００に保存されているテーブルと同じテーブルを持っているので、先ず、受信された信号に含まれているテーブル値を参照し、次いで、ステップＳ４６５で、復号変調方式及びコーディング率を確認した後、受信された情報データを復号する。
本発明ではＴＤＤに基づくシステムを問題としているので、端末１００は周期的に受信信号のＳＮＲを把握することができ、ＲＦＩＤを利用する環境ではデータ通信中に端末１００の移動性はほとんどないので、端末１００で付加的な情報なしでもテーブルに基づくＡＭＣ方式の適用が可能である。
【００２４】
図５は、本発明の望ましい実施例の信号雑音比（ＳＮＲ）を用いるＡＭＣのためのマッピングテーブルを示す図面である。
図５を参照すれば、本発明によるマッピングテーブル５００はマッピング識別子５１０、コーディング方式５２０及び変調方式５３０を備えている。
上記信号のＳＮＲ値が高い場合高い変調方式とコーディング率で大量のデータを送信し、ＳＮＲ値が低い場合低い変調方式とコーディング率で少量のデータを送ることで、システムから要求されるＢＥＲに適合するように、ＳＮＲ値に従って変調方式とコーディング率を対応させるよう上記マッピングテーブルを形成することができる。
【００２５】
コーディング方式は、剰余ビットを混合する割合にしたがって１/２、１/３、２/３、１/４などと呼称され、変調方式は、ＱＰＳＫ、８−ＰＳＫ、１６ＱＡＭ、６４ＱＡＭなどを有することができる。本発明は、通信環境をＳＮＲで把握し、上記ＳＮＲに対応するコーディング方式及び変調方式があらかじめ指定されている。
そして、ＳＮＲが小さい場合（信号が弱い場合）ＱＰＳＫ変調方式と１/４コーディング方式のような低いデータレートでコーディングをすることができ、ＳＮＲが大きい場合（信号が強い場合）６４ＱＡＭと１/２のような高いデータレートでコーディングをすることができる。
図５には示されていないが、本発明によるマッピングテーブルは、例えば、エラー訂正コーディングの量、フレーム内のサブ周期の長さ、変調シンボルセットからの変調シンボルの数、フレームのサブ周期の長さの数などのパラメーターを更に備える。
本発明による基地局２００は、少なくとも一つの他のパラメーターを利用して、基地局２００から各加入者局の距離に対する関数を用いてフレーム中に各端末１００とデータを送受信することができる。
【００２６】
（端末の構成及び動作）
図６は、本発明の望ましい実施例による端末の構成を示す。
従来技術によるＡＭＣ方式は、受信端のチャンネル状態情報を送信端にフィードバックし、上記チャンネル状態情報を利用して変調およびコーディング方式を決め、端末１００に上記変調およびコーディング方式に従ってデータを送信するように構成されている。従来方式の場合、端末１００から基地局２００へ周期的または非周期的に別途のチャンネル状態情報を送信しなければならず、送信手続きによって逆方向リンクのチャンネル損失をもたらす問題がある。
本発明は、チャンネル状態情報を送信するのではなく、あらかじめ保存されているマッピングテーブルを通じて設定された変調コーディング識別情報をデータとともに送信して逆方向リンクチャンネルの効率を向上させることができる。
【００２７】
以下、図６を参照して説明すれば、本発明による端末１００は、アンテナ部１１０、端末ＡＭＣ制御部１２０、逆ＡＭＣ部１３０及びＡＭＣ部１４０を備えてよい。
基地局２００と呼が連結した場合、端末１００はアンテナ部１１０を通じて基地局２００から受信した信号を端末ＡＭＣ制御部１２０に伝達する。本発明による端末ＡＭＣ制御部１２０は、上記信号のＳＮＲを測定するためのＳＮＲ測定部１２１、上記ＳＮＲに対応してあらかじめ設定されたコーディング方式及び変調方式を決定し、上記決定したコーディング方式及び変調方式を識別するためのマッピング識別子を抽出する識別子抽出部１２３、ＳＮＲに対応してあらかじめ設定されたコーディング方式及び変調方式を保存するためのテーブル保存部１２５及び識別子追加部１２７を備えてよい。
このように決定した変調方式及びコーディング方式に従って、ＡＭＣ部１４０は送信するデータを変調及びコーディングするべく構成され、逆ＡＭＣ部１３０は受信したデータを復調及びデコーディングするように構成される。
【００２８】
そして、ＡＭＣ部１４０は、基地局２００に送信するデータを変調するための変調部１４５、上記変調されたデータをインターリービングするためのインターリーバ部１４３及び上記インターリービングされたデータをコーディングするためのエンコーダー部１４１を含むことができる。ここで、インターリービングは、決まった方式でデータの入力手順と出力手順を異にして、かなり長い群集エラーを複数の短い群集エラーに分散させることができる。すなわち、インターリービングされたデータが送信チャンネルを通過し、かなり長い群集エラーが発生する場合、受信端でデインターリーバを経れば群集エラーがブロック別に別別に分離されて、インターリービングしない場合より多く間違いを訂正することができる。
逆適応変調コーディング部１３０は、基地局２００から受信したデータを復調するための復調部１３１、復調されたデータをデインターリービングするためのデインターリーバ部１３３及びデインターリービングされたデータをデコーディングするためのデコーダー部１３５を含むことができる。
端末の他の一般的な構成、例えば、送信部、受信部、入力部、出力部、電源部などは、本発明の説明上の便宜のため略する。
【００２９】
図７は、本発明の望ましい実施例による端末１００の動作を説明したフローチャートである。
本発明による端末１００は、ステップＳ６００で、基地局２００から信号を受信し、その後、ステップＳ６１０で、上記信号に対するＳＮＲを抽出する。
ステップＳ６２０で、上記ＳＮＲに対応する変調方式及びコーディング方式を、マッピングテーブルを利用して決める。望ましい実施例によれば、通常、信号は雑音と共存するので、ＳＮＲ（信号対雑音比）は、信号仕事率が雑音仕事率を超過するデシベル数であり、信号の仕事率と雑音の仕事率との間の比である。
ステップＳ６３０で、上記変調方式及びコーディング方式に対応する識別情報を保存する。ここで、上記保存情報は、基地局２００からデータを受信する場合、復調及びデコーディングに用いることができる。
ステップＳ６４０で、端末１００は、上記変調及びコーディング方式に従って、望ましい実施例によれば、変調、インターリービング、コーディングを含むＡＭＣを実行することができる。
ステップＳ６５０で、本発明による端末１００がデータを送信する際、上記保存したテーブル識別情報に載せて送信し、それゆえ、追加のフィードバックチャンネルを構成する必要はない。
【００３０】
図８は、本発明の望ましい実施例によるマッピング識別子の送信方法を示す図面である。本発明による送信方法は、追加のフィードバックチャンネルを構成することにより基地局２００にデータを送信するように構成することができ、又は以下のようにマッピング識別子を伴って送信することができる。
下記の表１にマッピング識別子の送信方式が示されている。
【００３１】
【表１】
2007503160.tif 000003
【００３２】
以下、図８を参照して、本発明によるマッピング識別子送信方式を説明する。
先ず、ステップＳ６６０で、マッピング識別子の送信方式を判断する。
判断の後、マッピング識別子をデータとともに送信する場合、ステップＳ６７０で、端末１００のチャンネル状態情報の全てを含まず、マッピング識別子のみを含むチャンネル状態情報を生成する。そして、ステップＳ６７５で、上記チャンネル状態情報を基地局２００に送信する。
従来技術による基地局２００で適応変調方式を実行する方法は、すべての端末１００のチャンネル状態をフィードバックデータとして送信しなければならないので、アップリンクに対して顕著なオーバーヘッドとなる一方、本発明では、追加的なチャンネル情報を必要とせず受信信号のＳＮＲのみを利用してテーブルに基づくにＡＭＣを実行するため、テーブルに対応するマッピング識別子のデータに関連するオーバーヘッドのみが作用する。また、追加的なチャンネル情報を必要とせず受信信号のＳＮＲのみを利用してＡＭＣを実行するので、テーブル値だけがオーバーヘッドに関連する。これは、基地局２００でＡＭＣを実行するのに比べて、ずっと少量のフィードバックデータである。
【００３３】
そして、判断の後、マッピング識別子を別途に送信する場合、ステップＳ６８０で、端末１００は、本発明によるＡＭＣを実行したデータにマッピング識別子を添付し、ステップＳ６８５で、上記マッピング識別子を伴うデータを基地局２００に送信する。
【００３４】
上述のように、本発明は、ＴＤＤに基づくＲＦＩＤデータ伝達無線ネットワークの特徴を利用して、端末１００でテーブルに基づくＡＭＣ技法を適用することができる。本発明は、端末１００でチャンネル状況によるＡＭＣ方式を適用し、従ってシステムから要求されるビット誤率（ＢＥＲ）を維持しながらアップリンクデータ送信速度を改善することができる。更に、追加的なチャンネル情報を必要とせず受信信号のＳＮＲのみを利用してＡＭＣを実行するので、テーブル値だけがオーバーヘッドと関連する。これは、基地局２００でＡＭＣを実行するのに比べて、ずっと少量のフィードバックデータである。
特に、マッピング識別子をデータとともに送信する場合、フィードバックチャンネルでのチャンネル状態情報の送信に使われる占有率を減少することができる。
【００３５】
（基地局の構成及び動作）
図９は、本発明の望ましい実施例による基地局２００の構成を示す。
図９を参照すれば、本発明による基地局２００は、アンテナ部２１０、基地局ＡＭＣ制御部２２０、逆ＡＭＣ部２３０及びＡＭＣ部２４０を含むことができる。
アンテナ部２１０で信号を受信し、基地局ＡＭＣ制御部２２０は上記信号に含まれたテーブルマッピング識別子を利用して変調方式及びコーディング方式情報を抽出し、上記変調方式及びコーディング方式に従って受信のデータを処理するように上記逆ＡＭＣ部２３０及びＡＭＣ部２４０を制御することができる。
上記基地局ＡＭＣ制御部２２０は、識別子抽出部２２１及びテーブル保存部２２３を含むことができる。テーブル保存部２２３は、変調方式及びコーディング方式情報に、上記チャンネル情報によるマッピング識別子情報を含むテーブルを保存することができ、識別子抽出部２２１は、上記信号に含まれたテーブルマッピング識別子を利用して、上記テーブル保存部２２３を参照して変調方式及びコーディング方式情報を抽出することができる。
【００３６】
このように、決定された変調方式及びコーディング方式に従って、ＡＭＣ部２４０は、送信するデータを変調及びコーディングするように構成され、逆ＡＭＣ部２３０は、受信したデータを復調及びデコーディングするように構成される。
逆ＡＭＣ部２３０は、受信したデータを復調するための復調部２３１、復調されたデータをデインターリービングするためのデインターリ−バ部２３３及びデインターリービングされたデータをデコーディングするためのデコーダー部を含むことができる。
そして、ＡＭＣ部２４０は、端末１００に送信するデータを変調するための変調部２４５、上記変調されたデータをインターリービングするためのインターリーバ部２４３及び上記インターリービングされたデータをエンコーディングするためのエンコーダー部を含むことができる。
基地局２００の他の一般的な構成、例えば、送信部、受信部、入力部、出力部、電源部などは発明の説明上の便宜のため略する。
【００３７】
図１０は、本発明の望ましい実施例による基地局２００の動作を説明するフローチャートである。
先ず、ステップＳ７００で、基地局２００が端末１００から信号を受信し、ステップＳ７１０で、上記信号に含まれた変調コーディング方式識別情報を抽出し、ステップＳ７３０で、上記変調コーディング方式識別情報に対応する変調方式及びコーディング方式を、あらかじめ保存されたマッピングテーブルを利用して抽出する。ここで、上記マッピングテーブルとは、端末１００に保存されているマッピングテーブルと同一であって、周期的に上記端末１００と同じくアップデート及び管理することができる。
ステップＳ７４０で、上記基地局２００がデータを送信するか又は受信するかを判断する。データを受信する場合、ステップＳ７５０で、基地局２００は、上記識別情報に対応する変調及び、コーディング方式に相応する復調及び、デコーディングを実行することができる。そして、データを送信する場合、ステップＳ７６０で、上記基地局２００は上記変調方式及びコーディング方式に従って変調及びコーディングを実行し、その後、ステップＳ７７０で、上記変調及びコーディングされたデータを上記端末１００に送信することができる。
上述したような本発明の方法は、プログラムに具現されてコンピューターで読める記録媒体ＣＤ−ロム、ラム、ロム、フレキシブルディスク、ハードディスク、光磁気ディスクなどに保存することができる。
【産業上の利用可能性】
【００３８】
以上で説明したように、本発明は、無線チャンネル環境にしたがってアップリンク部分でのデジタル変調及びコーディング方式を可変的に適用することにより外部干渉の影響にもかかわらず、安定的にシステム容量及び性能を改善することができるアップリンク性能を改善できる效果がある。
また、本発明は、ダウンリンク中心の順方向リンクの容量増大及び性能改善だけではなく、アップリンク性能改善及び送信速度の増加をもたらす效果もある。すなわち、本発明は、従来ＡＭＣ方式においてオーバーヘッドとなるチャンネル状態情報のフィードバック過程による負荷を、除去または減少させる效果もある。
また、本発明は、ＲＦＩＤデータの送信のようにアップリンクが頻繁な無線環境で、システムから要求されるビット誤率（ＢＥＲ）を維持しながら、アップリンクのデータ送信速度を改善する效果もある。すなわち、本発明は、通信時多重経路及び移動性がほとんどない端末側にテーブルに基づく簡単なＡＭＣアルゴリズムを利用することにより、チャンネル状況にしたがってデータ送信方法を定めることができるので、システムから要求されるＢＥＲを維持しながらアップリンクデータ送信速度を改善できる。
上記では、本発明の望ましい実施例を参照して説明したが、該当の技術分野で通常の知識を持った者であれば特許請求の範囲に記載された本発明の思想及び領域から脱しない範囲内で本発明を多様に修正及び変更させることができるのは理解できるだろう。
【図面の簡単な説明】
【００３９】
【図１】従来技術によるＡＭＣ（適応変調コーディング）方式を示す。
【図２】本発明の望ましい実施例によるアップリンク性能向上のためのＡＭＣシステムネットワークを示す。
【図３】本発明の望ましい実施例による基地局及び端末間の信号の流れを示す。
【図４】本発明の望ましい実施例によるアップリンク性能向上のためのＡＭＣ方法の動作手続きを説明するフローチャートである。
【図５】本発明の望ましい実施例による信号対雑音比ＳＮＲを利用したＡＭＣマッピングテーブルを示す。
【図６】本発明の望ましい実施例による端末の構成を示す。
【図７】本発明の望ましい実施例による端末の動作を説明するフローチャートである。
【図８】本発明の望ましい実施例によるマッピング識別子の送信方式を示す。
【図９】本発明の望ましい実施例による基地局の構成を示す。
【図１０】本発明の望ましい実施例による基地局の動作を説明するフローチャートである。
【図１】
2007503160.tif 000004
【図２】
2007503160.tif 000005
【図３】
2007503160.tif 000006
【図４】
2007503160.tif 000007
【図５】
2007503160.tif 000008
【図６】
2007503160.tif 000009
【図７】
2007503160.tif 000010
【図８】
2007503160.tif 000011
【図９】
2007503160.tif 000012
【図１０】
2007503160.tif 000013
【国際調査報告】
2007503160.tif 000014
2007503160.tif 000015